(57)【要約】     【課題】  防水性、絶縁性、屈曲性または可撓性に優れたシート状発熱体を、簡易な方法により得ることができ、利用形態に合わせた加工技術が容易、施工技術が容易なシート状発熱体、その製造方法およびシート状発熱体製造装置を提供すること。     【解決手段】  シート状発熱体１０は、不織布構成基材と導電性繊維とからなるシート状導電性不織布１を用いてなるものであって、該導電性不織布１には帯状電極３、３が設けられ、該導電性不織布１は、ＰＥＴなど可撓性の熱可塑性樹脂製フィルム５、５によりラミネート加工されている構成とする。 【選択図】  図１ 
0003112323.tif 000002
【実用新案登録請求の範囲】
【請求項１】
不織布構成基材と導電性繊維とからなるシート状導電性不織布を用いてなるシート状発熱体であって、該導電性不織布には電極が設けられ、該導電性不織布は、その全体が可撓性の熱可塑性樹脂製フィルムによりラミネート加工されており、それにより該電極部分を除く全体が可撓性であることを特徴とする、シート状発熱体。
【請求項２】
前記熱可塑性樹脂製フィルムに係る樹脂は、重縮合系または開環重合系の熱可塑性樹脂であることを特徴とする、請求項１に記載のシート状発熱体。
【請求項３】
前記熱可塑性樹脂製フィルムは、ポリエチレンテレフタレート（ＰＥＴ）等のポリエステル製フィルムか、またはポリイミド製フィルムであることを特徴とする、請求項１に記載のシート状発熱体。
【請求項４】
前記不織布構成基材は和紙原料であり、前記導電性繊維は炭素繊維であることを特徴とする、請求項１ないし３のいずれかに記載のシート状発熱体。
【請求項５】
前記電極は、前記導電性不織布の片面側に圧着された帯状の電極であることを特徴とする、請求項１ないし４のいずれかに記載のシート状発熱体。
【請求項６】
ロールに巻かれている状態の、不織布構成基材と導電性繊維とからなるシート状導電性不織布を送出する不織布送出手段と、送出された該シート状導電性不織布を適宜の長さに切断する不織布切断手段と、切断された該シート状導電性不織布の長手方向両端部に帯状電極が載置され、該シート状導電性不織布の上下が該シート状導電性不織布の全体を被覆し得る大きさの可撓性の熱可塑性樹脂製フィルムで挟まれ、該フィルムに対する加熱手段により該シート状導電性不織布が該フィルムにより密封されるラミネート加工が施されるラミネート加工手段と、該シート状導電性不織布の送出、長さの設定および切断について設定および制御を行うための不織布供給制御手段と、を備えることにより、該帯状電極部分を除く全体が可撓性のシート状発熱体を得ることのできる、シート状発熱体製造装置。
【請求項７】
ロールに巻かれている状態の、不織布構成基材と導電性繊維とからなるシート状導電性不織布を送出する不織布送出手段と、送出された該シート状導電性不織布を適宜の長さに切断する不織布切断手段と、切断された該シート状導電性不織布の長手方向両端部に帯状電極を載置するためにこれを送出する電極送出手段と、送出された該帯状電極を適宜の長さに切断する電極切断手段と、該帯状電極が載置された該シート状導電性不織布の上下が該シート状導電性不織布の全体を被覆し得る大きさの可撓性の熱可塑性樹脂製フィルムで挟まれ、該フィルムに対する加熱手段により該シート状導電性不織布が該フィルムにより密封されるラミネート加工が施されるラミネート加工手段と、該シート状導電性不織布または該帯状電極の少なくともいずれか一方の送出、長さの設定および切断について設定および制御を行うための不織布等供給制御手段と、を備えることにより、該帯状電極部分を除く全体が可撓性のシート状発熱体を得ることのできる、シート状発熱体製造装置。
【考案の詳細な説明】
【技術分野】
【０００１】
本考案はシート状発熱体およびシート状発熱体製造装置に関し、特に、防水性、絶縁性、屈曲性に優れたシート状発熱体を簡易な方法により得ることのできる、シート状発熱体およびシート状発熱体製造装置に関する。 
【背景技術】
【０００２】
シート状発熱体は、融雪、水道管等の凍結防止、保温用等に用いるためのものであり、従来種々のものが提案され、また製品化されて市場に提供されている。旧来の線発熱（ニクロム線等、線状発熱素子を用いたもの。）では、発熱、断熱を繰り返すことによって素子が老朽劣化し、断線などの危険性があり、また面全体を均一な温度にするのが難しい上、複雑な形状に対する施工が困難であるという欠点がある。また、線熱の集束体である導電繊維を使った発熱体は、屈曲に弱いという欠点がある。シート状発熱体の取り扱い性、施工性を高め、用途拡大を図るためには、屈曲性、可撓性に優れたものが望まれる。 
【０００３】
屈曲性または可撓性のよいシート状発熱体の提案状況を知るため、実用新案登録出願等状況の検索調査を試みた。特許庁ホームページ上の特許電子図書館（ＩＰＤＬ）の、特許実用新案公報テキスト検索メニューを用い、下記条件にて検索した。 
検索式 
要約＋特許請求の範囲＝（シート  ｏｒ  面）ａｎｄ  発熱体  ａｎｄ  不織布  ａｎｄ  炭素繊維  ａｎｄ（フィルム  ｏｒ  曲  ｏｒ可撓  ｏｒ  変形    ｏｒ  ＰＥＴ） 
検索対象：公開特許公報、公開実用新案公報、特許公報、実用新案公報。 
【０００４】
検索結果 
公開特許公報  ヒット件数６件 
１．特開平１０−０２７６７７ シリカ膜で被覆した面状発熱体 
２．特開平１０−０２７６７５ 弾性面状発熱体とこれを利用した発熱製品 
３．特開平０９−２８３２６６ 面状発熱体の製造方法 
４．特開平０８−２６１５６９ 液体の流下規正部材 
５．特開平０７−１８４６２７ 香味を送り込む電気喫煙装置およびその製造方法 
６．特開平０６−２２０８７６ 凍結防止マンホール 
公開実用新案公報  ヒット件数１件 
１．実開平０５−０１３２１９ うちわ 
計７件 
【０００５】
このうち、特開平１０−０２７６７７「シリカ膜で被覆した面状発熱体」（特許文献１）は、炭素繊維混抄紙などのような比較的粗な組織の面状発熱シートにシリカ溶液を含浸させ硬化させてシリカ膜を形成させることにより、機械的強度を与え、内部組織を固定化し、電気抵抗値を安定させた、電気絶縁性・防水性・耐薬品性をもつ面状発熱体を提案している。ここでシリカ溶液は、好適にオルガノポリシロキサンを主材とする液状ガラス前駆体を用い、これは面状発熱シートの内部組織のすき間に浸透するとともにシート表面に膜を形成するとしている。
【０００６】
また、特開平１０−０２７６７５ 弾性面状発熱体とこれを利用した発熱製品（特許文献２）は、炭素繊維混抄紙または導電性織物などのような面状発熱素材に電極と引出し線をつけた面状発熱素子を、ポリウレタンまたはポリブタジエンなどのようなエラストマーの中に密封状に包被して形成される弾性面状発熱体を提案している。ここで面状発熱素材は、シリカ膜を含浸硬化させたもの、あるいはさらにラミネートフィルムで被覆したものを用い、構成された弾性面状発熱体はそのままで、あるいはシートゴムやチップゴム、その他の外装材と組合わせて融雪マットやボードなどのような発熱用製品とされる旨述べられている。 
【０００７】
【特許文献１】特開平１０−０２７６７７号公報  「シリカ膜で被覆した面状発熱体」。要約。特許請求の範囲、請求項１〜７。図面、図１。
【特許文献２】特開平１０−０２７６７５号公報  「弾性面状発熱体とこれを利用した発熱製品」。要約。特許請求の範囲、請求項１〜４。発明の詳細な説明、段落０００３〜０００６、図２、３。
【考案の開示】
【考案が解決しようとする課題】
【０００８】
しかし、屋外で使用する融雪用マットあるいは融雪用ボードを主たる用途と想定して構成された特許文献１および２に示された提案は、屈曲性や可撓性がないか、あるいは不充分である。より屈曲性に優れたシート状発熱体を実現できれば、屋根、玄関先等の融雪、水道等の凍結防止等一般的な利用の他に、冬季間の鉄道、道路の交通安全確保、電力設備、冬季育苗等の農水関連、等に利用が可能になり、冬季寒冷または多雪地域の社会、経済、産業、そして個人生活全般にわたって大きく貢献できると考えられる。 
【０００９】
また特許文献２の提案は、特にエラストマーによる弾性付与を必須構成とし、さらに好適には硬化シリカ膜の形成やポリエチレン等によるラミネートを用いるなど、その構成は複雑であり、製造工程が多くなって製造コスト上も不利であり、難点がある。 
【００１０】
本考案の課題は、かかる従来技術の欠点を解消し、防水性、絶縁性、屈曲性または可撓性に優れたシート状発熱体を、簡易な方法により得ることができ、利用形態に合わせた加工技術が容易、施工技術が容易なシート状発熱体およびシート状発熱体製造装置を提供することである。 
【課題を解決するための手段】
【００１１】
本願考案者は上記課題につき鋭意検討し、屈曲性のあるシート状発熱体は導電炭素繊維を含む不織布を、ＰＥＴフイルム等の可撓性の熱可塑性樹脂製フィルムで被覆する構成を得、解決手段に至った。すなわち、上記課題を解決するための手段として、本願で実用新案登録請求される考案は以下のとおりである。
【００１２】
（１）  不織布構成基材と導電性繊維とからなるシート状導電性不織布を用いてなるシート状発熱体であって、該導電性不織布には電極が設けられ、該導電性不織布は、その全体が可撓性の熱可塑性樹脂製フィルムによりラミネート加工されており、それにより該電極部分を除く全体が可撓性であることを特徴とする、シート状発熱体。
【００１３】
（２）  前記熱可塑性樹脂製フィルムに係る樹脂は、重縮合系または開環重合系の熱可塑性樹脂であることを特徴とする、（１）に記載のシート状発熱体。 
【００１４】
（３）  前記熱可塑性樹脂製フィルムは、ポリエチレンテレフタレート（ＰＥＴ）等のポリエステル製フィルムか、またはポリイミド製フィルムであることを特徴とする、（１）に記載のシート状発熱体。 
【００１５】
（４）  前記不織布構成基材は和紙原料であり、前記導電性繊維は炭素繊維であることを特徴とする、（１）ないし（３）のいずれかに記載のシート状発熱体。 
【００１６】
（５）  前記電極は、前記導電性不織布の片面側に圧着された帯状の電極であることを特徴とする、（１）ないし（４）のいずれかに記載のシート状発熱体。 
【００１７】
（６）  ロールに巻かれている状態の、不織布構成基材と導電性繊維とからなるシート状導電性不織布を送出する不織布送出手段と、送出された該シート状導電性不織布を適宜の長さに切断する不織布切断手段と、切断された該シート状導電性不織布の長手方向両端部に帯状電極が載置され、該シート状導電性不織布の上下が該シート状導電性不織布の全体を被覆し得る大きさの可撓性の熱可塑性樹脂製フィルムで挟まれ、該フィルムに対する加熱手段により該シート状導電性不織布が該フィルムにより密封されるラミネート加工が施されるラミネート加工手段と、該シート状導電性不織布の送出、長さの設定および切断について設定および制御を行うための不織布供給制御手段と、を備えることにより、該帯状電極部分を除く全体が可撓性のシート状発熱体を得ることのできる、シート状発熱体製造装置。
【００１８】
（７）  ロールに巻かれている状態の、不織布構成基材と導電性繊維とからなるシート状導電性不織布を送出する不織布送出手段と、送出された該シート状導電性不織布を適宜の長さに切断する不織布切断手段と、切断された該シート状導電性不織布の長手方向両端部に帯状電極を載置するためにこれを送出する電極送出手段と、送出された該帯状電極を適宜の長さに切断する電極切断手段と、該帯状電極が載置された該シート状導電性不織布の上下が該シート状導電性不織布の全体を被覆し得る大きさの可撓性の熱可塑性樹脂製フィルムで挟まれ、該フィルムに対する加熱手段により該シート状導電性不織布が該フィルムにより密封されるラミネート加工が施されるラミネート加工手段と、該シート状導電性不織布または該帯状電極の少なくともいずれか一方の送出、長さの設定および切断について設定および制御を行うための不織布等供給制御手段と、を備えることにより、該帯状電極部分を除く全体が可撓性のシート状発熱体を得ることのできる、シート状発熱体製造装置。
【考案の効果】
【００１９】
本考案のシート状発熱体およびシート状発熱体製造装置は上述のように構成されているため、防水性、絶縁性、屈曲性または可撓性に優れたシート状発熱体を、簡易な方法により得ることができるとともに、利用形態に合わせた加工技術が容易、施工技術が容易である。したがって、各種建築物、各種構造物、道路・鉄道、車両などでの融雪や凍結防止用途に、幅広く用いることができる他、施設園芸等での育苗用保温ヒーターや、ゴキブリ捕獲機等の用途にも用いることができる。 
【考案を実施するための最良の形態】
【００２０】
以下、本考案を図面により詳細に説明する。なお、本考案は以下の実施例に限定されるものではない。以下、図中、同一の構成要素に対しては同一の符号を付して説明する。
図１は、本考案に係るシート状発熱体の断面構成を示す説明図である。図において本シート状発熱体１０は、不織布構成基材と導電性繊維とからなるシート状導電性不織布１を用いてなるものであって、該導電性不織布１には電極３、３が設けられ、該導電性不織布１は、その全体が可撓性の熱可塑性樹脂製フィルム５、５によりラミネート加工されており、それにより該電極部分を除く全体が可撓性であることを、主たる構成とする。
【００２１】
図において該電極３、３は適宜の電源に接続され得るよう、端子部分が本シート状発熱体１０の外部に露出して設けることができる。該電極３、３の露出する端子部分においては、本シート状発熱体１０内部の防水性および絶縁性を確保すべく、適宜方法による封止手段を設けることが望ましい。 
【００２２】
図において、本シート状発熱体１０に係る前記熱可塑性樹脂製フィルム５としては、特に、重縮合系または開環重合系の熱可塑性樹脂製のフィルムを用いることができる。たとえば、ポリエチレンテレフタレート（ＰＥＴ）等のポリエステル製フィルムや、または、より耐熱性に優れたポリイミド製フィルムを用いることができるが、ラミネート加工により前記シート状導電性不織布１および電極３を密封することのできる素材であれば、その他適宜の熱可塑性樹脂フィルムを用いることができる。また、該シート状導電性不織布１を構成する不織布の構成基材としては和紙原料を用い、同じく導電性繊維としては炭素繊維を用いることができる。すなわち、和紙原料中に炭素繊維が混抄された状態の不織布を用いることができるが、その他の構成のものを排除するものではない。図においてまた、本シート状発熱体１０に係る該電極３は、該導電性不織布１の片面側に圧着された帯状の電極とすることができる。 
【００２３】
図１において本考案のシート状発熱体１０は上述のように構成されているため、電極３、３が適宜の電源に接続されることによって、シート状導電性不織布１には電気が供給されて、これを構成する導電性繊維が発熱し、ラミネート加工により該シート状導電性不織布１を密封している可撓性の熱可塑性樹脂製フィルム５、５を通して、熱が外部に供給され、シート状発熱体として作用する。本シート状発熱体１０は可撓性熱可塑性樹脂製フィルム５の使用により、屈曲性、可撓性に優れる。また、該フィルム５による密封のため、内部のシート状導電性不織布１における防水性および絶縁性に優れる。 
【００２４】
本考案のシート状発熱体は、上述の構成および作用を有するため、ビル、一般住宅、駐車場、鉄道の信号機・ポイント、電力鉄塔の碍子、道路信号機・標識、高速道路緊急設備、駅プラットホーム・盲人用案内表示、青空駐車の車体カバー、などにおける融雪や凍結防止に、幅広く用いることができる。その他、施設園芸等での育苗用保温ヒーターや、ゴキブリ捕獲機にも用いることができる。 
【００２５】
本考案シート状発熱体を構成するシート状導電性不織布１としては、たとえば和紙原料と炭素繊維をロール紙状に生成した不織布発熱素材（ＣＦＰ、呉羽化学製）を好適に用いることができる。また、ＣＦＰを絶縁フィルム素材（ＰＥＴ製、ポリイミド製のフィルム等）で挟み込むラミネート加工技術としては、たとえば富士精工株式会社のラミネート加工技術を、ラミネート用絶縁フィルム素材については、たとえば日本マタイ工業株式会社製のものを、好適に用いることができる。また、帯状電極３としては、たとえば銅板状のプレート電極等適宜のものを用いることができる。 
【００２６】
図２は、本考案に係るシート状発熱体の平面構成を示す説明図であり、ラミネート加工された熱可塑性樹脂製フィルム５を一部剥いだ状態の図である。図において本シート状発熱体１０は上述のとおり、不織布構成基材と導電性繊維とからなるシート状導電性不織布１を用いてなるものであって、該導電性不織布１には電極３、３が設けられ、該導電性不織布１は可撓性の熱可塑性樹脂製フィルム５、５によりラミネート加工され構成であり、該電極３、３は適宜の電源に接続され得るよう、端子部分が本シート状発熱体１０の外部に露出して設けられる。該電極３、３の露出する端子部分においては、本シート状発熱体１０内部の防水性および絶縁性を確保すべく、適宜方法による封止手段が設けられる。 
【００２７】
図３は、本考案のシート状発熱体製造方法を示すフロー図である。図において本製造方法は、不織布構成基材と導電性繊維とからなるシート状導電性不織布１１の片面側の対向する二辺上に帯状電極１３を載置する工程Ｐ１と、ついで、該帯状電極１３の載置された該導電性不織布１１の全体を被覆し得る大きさの可撓性の熱可塑性樹脂製フィルム１５で上下各方向から挟み、該フィルム１５に対する加熱手段により該帯状電極１３の載置された該導電性不織布１１が該フィルム１５により密封されるようラミネート加工を施す工程Ｐ２とを備えて構成され、これらの工程Ｐ１およびＰ２を経ることにより、該帯状電極部分を除く全体が可撓性のシート状発熱体１００が得られる。
【００２８】
すなわち図において、工程Ｐ１では、前記シート状導電性不織布１１の片面側の対向する二辺上に前記帯状電極１３が載置され、ついで工程Ｐ２では、該帯状電極１３の載置された該導電性不織布１１が、これを被覆し得る大きさの可撓性の熱可塑性樹脂製フィルム１５により上下各方向から挟まれ、該フィルム１５に対する加熱手段により該帯状電極１３の載置された該導電性不織布１１が該フィルム１５により密封され、つまりラミネート加工が施される。これらの工程Ｐ１およびＰ２を経ることにより、シート状発熱体１００が得られる。 
【００２９】
本製造方法において、ラミネート加工のための加熱手段としては、たとえば、上下に配置された加熱機構付きの圧着ローラーなど、公知の適宜の手段を用いることができる。また前記電極１３は、適宜の電源に接続できるよう、その端子部が本シート状発熱体１００の外部に露出するように設けることができる。この場合、本シート状発熱体１００の内部の防水および絶縁のため、適宜の方法により封止処理をすることが望ましい。 
【００３０】
図４は、本考案のシート状発熱体製造方法を示す別のフロー図である。図において本製造方法では、ロールに巻かれている状態の、不織布構成基材と導電性繊維とからなるシート状導電性不織布１１を送出し（工程Ｐ１１）、送出された該シート状導電性不織布１１を適宜の長さに切断し（工程Ｐ１２）、切断された該シート状導電性不織布１１の長手方向両端部に帯状電極１３を載置し（工程Ｐ１３）、該シート状導電性不織布１１の上下を該シート状導電性不織布の全体を被覆し得る大きさの可撓性の熱可塑性樹脂製フィルム１５で挟み（工程Ｐ２０）、該フィルム１５に対する加熱手段により該帯状電極１３の載置された該シート状導電性不織布１１が該フィルム１５により密封されるようラミネート加工を施す（工程Ｐ３０）、各工程を経ることにより、該帯状電極部分を除く全体が可撓性
のシート状発熱体１００が得られる。
【００３１】
本製造方法において、工程Ｐ１１ではロールに巻かれている前記シート状導電性不織布１１が送出され、ついで工程Ｐ１２では、送出された該シート状導電性不織布１１が適宜の長さに切断され、ついで工程Ｐ１３では、切断された該シート状導電性不織布１１の長手方向両端部に帯状電極１３が載置され、その後は図３と同様の工程を経る。このようにロール状に巻かれているシート状導電性不織布１１を用いて本考案のシート状発熱体１００を製造する場合、該不織布１１を適宜の長さで切断できる工程Ｐ１２を設けることにより、道路の融雪、水道管等の凍結防止、建物の保温用、車両上の積雪の融雪など、各用途に応じて必要なサイズのシート状発熱体を製造することができる。なお、帯状電極１３もロール状に巻いたものを用い、さらにこれを適宜の長さで切断する工程・手段を加えることもできる。 
【００３２】
図において、本製造方法では、前記シート状導電性不織布１１の送出、長さの設定および切断が、これらの設定および制御を行うための不織布供給制御手段Ｍ５０により行われることとすることができる。該不織布供給制御手段５０Ｍとしてはコンピュータを用いることができ、この場合、該不織布１１の送出長さ測定手段、該不織布１１の長さ設定手段、測定長さと設定長さの比較手段、比較手段において発生する信号に基づき該不織布１１の切断を指令する手段を備えた構成とすることができる。 
【００３３】
以上説明した各製造方法により、防水性および絶縁性に優れ、かつ屈曲性または可撓性に優れ、さらに利用形態に合わせた加工技術が容易、施工技術が容易なシート状発熱体を、簡易な方法により得ることができる。 
【００３４】
図５は、本考案のシート状発熱体製造装置の断面構成を示す説明図である。図において本装置５０は、ロールに巻かれている状態の、不織布構成基材と導電性繊維とからなるシート状導電性不織布５１を送出する不織布送出手段５２と、送出された該シート状導電性不織布５１を適宜の長さに切断する不織布切断手段５１Ｃと、切断された該シート状導電性不織布５１の長手方向両端部に帯状電極５３が載置され、該帯状電極５３が載置された該シート状導電性不織布５１の上下が該シート状導電性不織布の全体を被覆し得る大きさの可撓性の熱可塑性樹脂製フィルム５５Ｔ、５５Ｂで挟まれ、該フィルム５５Ｔ、５５Ｂに対する加熱手段５８により該帯状電極５３が載置された該シート状導電性不織布５１が該フィルム５５Ｔ、５５Ｂにより密封されるラミネート加工が施されるラミネート加工手段５９と、該シート状導電性不織布５１の送出、長さの設定および切断について設定および制御を行うための不織布供給制御手段５６と、を備えて構成され、本装置５０を用いることにより、該帯状電極部分を除く全体が可撓性のシート状発熱体を得ることができる。
【００３５】
図において本装置５０は上述のように構成されるため、不織布送出手段５２により、ロールに巻かれている前記シート状導電性不織布５１が送出され、不織布切断手段５１Ｃにより、送出された該シート状導電性不織布５１が適宜の長さに切断され、切断された該シート状導電性不織布５１の長手方向両端部に帯状電極５３が載置され、さらに不織布供給制御手段５６により、該シート状導電性不織布５１の送出、長さの設定および切断は制御される。そして、ラミネート加工手段５９により、該帯状電極５３が載置された該シート状導電性不織布５１の上下が可撓性の熱可塑性樹脂製フィルム５５Ｔ、５５Ｂで挟まれて、該フィルム５５Ｔ、５５Ｂに対する加熱手段５８による加熱がなされて該帯状電極５３が載置された該導電性不織布５１が該フィルム５５Ｔ、５５Ｂにより密封され、本シート状発熱体が得られる。 
【００３６】
図において本装置５０は上記構成に加えて、切断された該シート状導電性不織布５１の長手方向両端部に帯状電極５３を載置するためにこれを送出する電極送出手段と、送出された該帯状電極５３を適宜の長さに切断する電極切断手段５３Ｃとを備え、また前記不織布供給制御手段５６は、該シート状導電性不織布５１または該帯状電極５３の少なくともいずれか一方の送出、長さの設定および切断について設定および制御を行うための不織布等供給制御手段とする、構成をとることもできる。 
【００３７】
かかる構成により本装置５０は、電極送出手段により、切断された前記シート状導電性不織布５１の長手方向両端部に帯状電極５３を載置するためにこれが送出され、電極切断手段５３Ｃにより、送出された該帯状電極５３が適宜の長さに切断される。また、前記不織布供給制御手段５６の制御対象として該帯状電極５３を加えることにより、該帯状電極５３の送出、長さの設定および切断についても設定および制御を行うことができる。 
【図面の簡単な説明】
【００３８】
【図１】本考案に係るシート状発熱体の断面構成を示す説明図である。
【図２】本考案に係るシート状発熱体の平面構成を示す説明図である。
【図３】本考案のシート状発熱体製造方法を示すフロー図である。
【図４】本考案のシート状発熱体製造方法を示す別のフロー図である。
【図５】本考案のシート状発熱体製造装置の断面構成を示す説明図である。
【符号の説明】
【００３９】
１０、１００…シート状発熱体 
１、１１、５１…シート状導電性不織布 
３、１３、５３…電極 
５、１５、５５Ｔ、５５Ｂ…熱可塑性樹脂製フィルム 
５０…シート状発熱体製造装置 
５１Ｃ…不織布切断手段 
５２…不織布送出手段 
５３Ｃ…電極切断手段 
５８…加熱手段 
５９…ラミネート加工手段 
Ｐ１、Ｐ２、Ｐ１１、Ｐ１２、Ｐ１３、Ｐ２０、Ｐ３０…シート状発熱体製造の工程 
Ｍ５０…不織布供給制御手段 
【図１】
0003112323.tif 000003
【図２】
0003112323.tif 000004
【図３】
0003112323.tif 000005
【図４】
0003112323.tif 000006
【図５】
0003112323.tif 000007